(57)【特許請求の範囲】
【請求項１】
カメラ・ボディと交換レンズとの間に装着されるマウント・アダプタの周面に設けられている設定スイッチの設定状態を検出するスイッチ設定状態検出手段，
撮像した画像を補正する補正パラメータを，上記設定スイッチによって設定可能な状態に対応して記憶する補正パラメータ・メモリ，
上記スイッチ設定状態検出手段によって検出された上記設定スイッチの状態に対応する補正パラメータを，上記補正パラメータ・メモリから読み出す補正パラメータ読出手段，
上記補正パラメータ読出手段によって読み出された補正パラメータを用いて，撮像した画像を補正する画像補正手段，
上記設定スイッチの設定状態が変更されたかどうかを検出するスイッチ設定状態変更検出手段，ならびに
上記スイッチ設定状態変更検出手段による，上記設定スイッチの設定状態変更の検出に応じて上記スイッチ設定状態検出手段によって検出された設定スイッチの状態および上記設定スイッチの設定状態が変更された旨を表示画面に表示し，かつプレ撮像により得られるライブビュー画像を表示画面に表示する表示装置を備え，
上記スイッチ設定状態変更検出手段は，
上記ライブビュー画像が表示画面に表示されたことに応じて上記設定スイッチの設定状態が変更されたかどうかを検出するものである，
カメラ・ボディ。
【請求項５】
上記スイッチ設定状態検出手段は，
カメラ・ボディの電源がオンされたことに応じて上記設定スイッチの設定状態を検出するものである，
請求項１に記載のカメラ・ボディ。
【請求項６】
カメラ・ボディにマウント・アダプタが装着されたことを検出するマウント・アダプタ装着検出手段をさらに備え，
上記スイッチ設定状態検出手段は，
上記マウント・アダプタ装着検出手段によってカメラ・ボディへのマウント・アダプタの装着が検出されたことに応じて，上記設定スイッチの設定状態を検出するものである，
請求項１から５のうち，いずれか一項に記載のカメラ・ボディ。
【請求項７】
カメラ・ボディに装着されているマウント・アダプタに交換レンズが装着されたことを検出する交換レンズ装着検出手段をさらに備え，
上記スイッチ設定状態検出手段は，
上記交換レンズ装着検出手段によってマウント・アダプタへの交換レンズの装着が検出されたことに応じて，上記設定スイッチの設定状態を検出するものである，
請求項１から６のうち，いずれか一項に記載のカメラ・ボディ。
【請求項８】
カメラ・ボディと交換レンズとの間に装着されるマウント・アダプタであって，
マウント・アダプタの周囲に設けられているスライド設定スイッチ，および
上記スライド設定スイッチの設定状態を表わすデータを，カメラ・ボディに送信する設定状態データ送信手段，
を備えたマウント・アダプタにおいて，
上記スライド設定スイッチが，
上記マウント・アダプタの周面に沿って移動自在であり，上記マウント・アダプタの内部に入り込んでいる凸部が形成されているつまみ部材，
上記つまみ部材の移動方向に対応した凹部であり，かつ上記設定スイッチにより設定可能な状態の数に対応した凹部が形成されている位置決め部材，
上記位置決め部材を上記マウント・アダプタの内周面に付勢する付勢機構，および
マウント・アダプタに交換レンズが装着されていることにより交換レンズと係合し，マウント・アダプタから交換レンズを外すときに，その係合を解除し，かつ上記付勢機構による上記位置決め部材の付勢に抗して上記つまみ部材の凸部と上記位置決め部材の凹部との係合を解除する係合機構，
を備えたマウント・アダプタ。
【請求項９】
カメラ・ボディから送信される設定状態要求データを受信する設定状態要求データ受信手段をさらに備え，
上記設定状態データ送信手段は，
上記設定状態要求データ受信手段によって設定状態要求データを受信したことに応じて上記スライド設定スイッチの設定状態を示すデータをカメラ・ボディに送信するものである，
請求項８に記載のマウント・アダプタ。
【請求項１０】
マウント・アダプタであることを示すデータを記憶するマウント・アダプタ・メモリ，および
上記マウント・アダプタ・メモリに記憶されている，マウント・アダプタであることを示すデータをカメラ・ボディに送信するマウント・アダプタ・データ送信手段，
をさらに備えた請求項８または９に記載のマウント・アダプタ。
【請求項１１】
カメラ・ボディから送信される種別要求データを受信する種別要求データ受信手段をさらに備え，
上記マウント・アダプタ・データ送信手段は，
上記種別要求データ受信手段によって種別要求データを受信したことに応じて上記マウント・アダプタ・メモリに記憶されている，マウント・アダプタであることを示すデータをカメラ・ボディに送信するものである，
請求項１０に記載のマウント・アダプタ。
【請求項１３】
スイッチ設定状態検出手段が，カメラ・ボディと交換レンズとの間に装着されるマウント・アダプタの周面に設けられている設定スイッチの設定状態を検出し，
補正パラメータ読出手段が，撮像した画像を補正する補正パラメータを，設定スイッチによって設定可能な状態に対応して記憶する補正パラメータ・メモリの中から，スイッチ設定状態検出手段によって検出された設定スイッチの設定状態に対応する補正パラメータを読み出し，
画像補正手段が，補正パラメータ読出手段によって読み出された補正パラメータを用いて，撮像した画像を補正し，
スイッチ設定状態変更検出手段が，上記設定スイッチの設定状態が変更されたかどうかを検出し，
表示装置が，上記スイッチ設定状態変更検出手段による，上記設定スイッチの設定状態変更の検出に応じて上記スイッチ設定状態検出手段によって検出された設定スイッチの状態および上記設定スイッチの設定状態が変更された旨を表示画面に表示し，かつプレ撮像により得られるライブビュー画像を表示画面に表示し，
上記スイッチ設定状態変更検出手段は，
上記ライブビュー画像が表示画面に表示されたことに応じて上記設定スイッチの設定状態が変更されたかどうかを検出するものである，
カメラ・ボディの動作制御方法。
【請求項１４】
カメラ・ボディと交換レンズとの間に装着されるマウント・アダプタの動作制御方法であって，
スライド設定スイッチを，マウント・アダプタの周囲に設け，
設定状態要求データ受信手段が，カメラ・ボディから送信された，上記スライド設定スイッチの設定状態を要求する設定状態要求データを受信し，
設定状態データ送信手段が，上記設定状態要求データ受信手段により設定状態要求データを受信したことに応じて，上記スライド設定スイッチの設定状態を表わすデータを，カメラ・ボディに送信し，
上記スライド設定スイッチが，つまみ部材，位置決め部材，付勢機構，および係合機構を備え，
上記つまみ部材は，
上記マウント・アダプタの周面に沿って移動自在であり，上記マウント・アダプタの内部に入り込んでいる凸部が形成され，
上記位置決め部材は，
上記つまみ部材の移動方向に対応した凹部であり，かつ上記スライド設定スイッチにより設定可能な状態の数に対応した凹部が形成され，
上記付勢機構は，
上記位置決め部材を上記マウント・アダプタの内周面に付勢し，
上記係合機構は，
マウント・アダプタに交換レンズが装着されていることにより交換レンズと係合し，マウント・アダプタから交換レンズを外すときに，その係合を解除し，かつ上記付勢機構による上記位置決め部材の付勢に抗して上記つまみ部材の凸部と上記位置決め部材の凹部との係合を解除する，
マウント・アダプタの動作制御方法。
【発明の詳細な説明】
【技術分野】
【０００１】
この発明は，カメラ・ボディおよびマウント・アダプタならびにそれらの動作制御方法に関する。
【背景技術】
【０００２】
マウント・アダプタを利用することにより，ノンレフレックス型のカメラに他のマウント用レンズを装着できる。他のマウント用レンズが装着された場合，カメラとレンズとの間の通信規格が整合しないので，カメラはレンズ情報を受信できないことがある。このために，カメラがレンズを適切に制御できなかったり，レンズに応じた撮影画像の補正ができなかったりする場合がある。また，ユーザがレンズ情報の一部をカメラに手動で入力してレンズ制御，撮影画像の補正などを行うものもある。【０００３】
さらに，コンバージョンレンズを内蔵し，内蔵レンズを駆動してＡＦを行うアダプタにおいて，ＡＦ／ＭＦ切替スイッチをもつもの（特許文献１），子となるカメラにレンズを対応させるアダプタ（特許文献２），カメラ，レンズ間の情報に変換が必要な場合のみ変換経路を接続し，不要な場合にはカメラとレンズとを直接接続するもの（特許文献３）などもある。
【先行技術文献】
【特許文献】
【０００４】
【特許文献１】特開平1-248115号公報
【特許文献２】特開平11-244756号公報
【特許文献３】特開2012-037692号公報
【発明の概要】
【発明が解決しようとする課題】
【０００５】
ユーザがレンズ情報の一部をカメラに手動で入力する場合には，複数のレンズを交換して使用するときには煩雑な作業となってしまう。また，特許文献１から３においては，マウント・アダプタを介して装着されるレンズに対応して，撮影画像を補正することは考えられていない。【０００６】
この発明は，マウント・アダプタを介して装着されるレンズに対応して撮影画像を比較的簡単に補正できるようにすることを目的とする。
【課題を解決するための手段】
【０００７】
第１の発明によるカメラ・ボディは，カメラ・ボディと交換レンズとの間に装着されるマウント・アダプタの周面に設けられている設定スイッチの設定状態を検出するスイッチ設定状態検出手段，撮像した画像を補正する補正パラメータを，設定スイッチによって設定可能な状態に対応して記憶する補正パラメータ・メモリ，スイッチ設定状態検出手段によって検出された設定スイッチの状態に対応する補正パラメータを，補正パラメータ・メモリから読み出す補正パラメータ読出手段，および補正パラメータ読出手段によって読み出された補正パラメータを用いて，撮像した画像を補正する画像補正手段を備えていることを特徴とする。【０００８】
第１の発明は，カメラ・ボディの動作制御方法も提供している。すなわち，スイッチ設定状態検出手段が，カメラ・ボディと交換レンズとの間に装着されるマウント・アダプタの周面に設けられている設定スイッチの設定状態を検出し，補正パラメータ読出手段が，撮像した画像を補正する補正パラメータを，設定スイッチによって設定可能な状態に対応して記憶する補正パラメータ・メモリの中から，スイッチ設定状態検出手段によって検出された設定スイッチの設定状態に対応する補正パラメータを読み出し，画像補正手段が，補正パラメータ読出手段によって読み出された補正パラメータを用いて，撮像した画像を補正するものである。【０００９】
第１の発明によると，マウント・アダプタを介してカメラ・ボディと交換レンズとが装着される。そのようなマウント・アダプタの周面には設定スイッチ（機械的なスイッチに限らず，画面にタッチ・パネルが形成されているタッチ・スイッチなどのソフトウエアを利用したスイッチでもよい）が設けられている。カメラ・ボディには設定スイッチによって設定可能な状態に対応して，撮像した画像を補正する補正パラメータが記憶されている。マウント・アダプタに設けられている設定スイッチの設定状態が検出されると，検出された設定状態に対応した補正パラメータが読み出される。読み出された補正パラメータを用いて，撮像した画像が補正される。マウント・アダプタを介してカメラ・ボディと直接に通信できない交換レンズが装着された場合であっても，撮像した画像を，その交換レンズの特性に応じて補正できるようになる。【００１０】
スイッチ設定状態検出手段によって検出された設定スイッチの設定状態を表示画面に表示する表示装置をさらに備えてもよい。【００１１】
設定スイッチの設定状態が変更されたかどうかを検出するスイッチ設定状態変更検出手段をさらに備えてもよい。この場合，表示装置は，たとえば，スイッチ設定状態変更検出手段による，設定スイッチの設定状態変更の検出に応じてスイッチ設定状態検出手段によって検出された設定スイッチの状態および設定スイッチの設定状態が変更された旨を表示画面に表示するものとなろう。【００１２】
プレ撮像により得られるライブビュー画像を表示画面に表示するように表示装置を制御する表示制御手段をさらに備えてもよい。この場合，設定状態変更検出手段は，表示制御手段の制御によりライブビュー画像が表示画面に表示されたことに応じて設定スイッチの設定状態が変更されたかどうかを検出するものとなろう。【００１３】
スイッチ設定状態検出手段は，たとえば，カメラ・ボディの電源がオンされたことに応じて設定スイッチの設定状態を検出するものである。【００１４】
カメラ・ボディにマウント・アダプタが装着されたことを検出するマウント・アダプタ装着検出手段をさらに備えてもよい。この場合，スイッチ設定状態検出手段は，マウント・アダプタ装着検出手段によってカメラ・ボディへのマウント・アダプタの装着が検出されたことに応じて，設定スイッチの設定状態を検出するものとなろう。【００１５】
カメラ・ボディに装着されているマウント・アダプタに交換レンズが装着されたことを検出する交換レンズ装着検出手段をさらに備えてもよい。この場合，スイッチ設定状態検出手段は，たとえば，交換レンズ装着検出手段によってマウント・アダプタへの交換レンズの装着が検出されたことに応じて，設定スイッチの設定状態を検出するものとなろう。【００１６】
第２の発明は，カメラ・ボディと交換レンズとの間に装着されるマウント・アダプタであって，マウント・アダプタの周囲に設けられている設定スイッチ，および設定スイッチの設定状態を表わすデータを，カメラ・ボディに送信する設定状態データ送信手段を備えていることを特徴とする。【００１７】
第２の発明は，マウント・アダプタの動作制御方法も提供している。すなわち，この方法は，カメラ・ボディと交換レンズとの間に装着されるマウント・アダプタの動作制御方法であって，設定スイッチを，マウント・アダプタの周囲に設け，設定状態要求データ受信手段が，カメラ・ボディから送信された，設定スイッチの設定状態を要求する設定状態要求データを受信し，設定状態データ送信手段が，設定状態要求データ受信手段により設定状態要求データを受信したことに応じて，設定スイッチの設定状態を表わすデータを，カメラ・ボディに送信するものである。【００１８】
第２の発明によると，設定スイッチがマウント・アダプタの周囲に設けられており，その設定スイッチの設定状態を表わすデータがカメラ・ボディに送信される。上述のように，設定状態に対応した補正パラメータがカメラ・ボディにおいて読み出され，撮像した画像が補正される。【００１９】
カメラ・ボディから送信される設定状態要求データを受信する設定状態要求データ受信手段をさらに備えてもよい。この場合，設定状態データ送信手段は，設定状態要求データ受信手段によって設定状態要求データを受信したことに応じて設定スイッチの設定状態を示すデータをカメラ・ボディに送信するものとなろう。【００２０】
マウント・アダプタであることを示すデータを記憶するマウント・アダプタ・メモリ，およびマウント・アダプタ・メモリに記憶されている，マウント・アダプタであることを示すデータをカメラ・ボディに送信するマウント・アダプタ・データ送信手段をさらに備えてもよい。【００２１】
カメラ・ボディから送信される種別要求データを受信する種別要求データ受信手段をさらに備えてもよい。この場合，マウント・アダプタ・データ送信手段は，種別要求データ送信手段によって種別要求データを受信したことに応じてマウント・アダプタ・メモリに記憶されている，マウント・アダプタであることを示すデータをカメラ・ボディに送信するものとなろう。【００２２】
設定スイッチは，たとえば，スライド・スイッチである。この場合，スライド・スイッチが，マウント・アダプタの周面に沿って移動自在であり，マウント・アダプタの内部に入り込んでいる凸部が形成されているつまみ部材，つまみ部材の移動方向に対応して凹部であり，かつ設定スイッチにより設定可能な状態の数に対応した凹部が形成されている位置決め部材，位置決め部材を上記マウント・アダプタの内周面に付勢する付勢機構，およびマウント・アダプタに交換レンズが装着されていることにより交換レンズと係合し，マウント・アダプタから交換レンズを外すときに，その係合を解除し，かつ付勢機構による位置決め部材の付勢に抗してつまみ部材の凸部と位置決め部材の凹部との係合を解除する係合機構を備えることとなろう。
【図面の簡単な説明】
【００２３】
【図１】カメラ・ボディ，マウント・アダプタ，交換レンズの斜視図である。
【図２】カメラ・ボディとマウント・アダプタとの電気的構成を示すブロック図である。
【図３】補正パラメータ・テーブルの一例である。
【図４】カメラ・ボディの処理手順を示すフローチャートである。
【図５】カメラ・ボディの処理手順を示すフローチャートである。
【図６】マウント・アダプタの処理手順を示すフローチャートである。
【図７】カメラ・ボディの背面図である。
【図８】カメラ・ボディの処理手順を示すフローチャートである。
【図９】マウント・アダプタの処理手順を示すフローチャートである。
【図１０】カメラ・ボディの背面図である。
【図１１】カメラ・ボディの背面図である。
【図１２】カメラ・ボディの処理手順を示すフローチャートである。
【図１３】カメラ・ボディの背面図である。
【図１４】カメラ・ボディの処理手順を示すフローチャートである。
【図１５】カメラ・ボディの処理手順を示すフローチャートである。
【図１６】カメラ・ボディの処理手順を示すフローチャートである。
【図１７】図１のXVII−XVII線に沿う断面図である。
【図１８】図１のXVII−XVII線に沿う断面図である。
【発明を実施するための形態】
【００２４】
図１は，この発明の実施例を示すもので，カメラ・ボディ１，マウント・アダプタ30および交換レンズ50の斜視図である。
【００２５】
カメラ・ボディ１は，レンズを交換できるノンレフレックス型のものである。カメラ・ボディ１の前面（図１において右側）２のほぼ中央部には開口３が形成されている。この開口３の周りにマウント・アダプタ30が装着されるマウント４が形成されている。
【００２６】
カメラ・ボディ１の上面にはシャッタ・レリーズ・ボタン５が設けられている。
【００２７】
マウント・アダプタ30は円管状のもので，両端面にマウント44および45が形成されている。図１において左側の第１のマウント44はカメラ・ボディ１に装着されるものであり，右側の第２のマウント45は交換レンズ50に装着されるものである。
【００２８】
マウント・アダプタ30の周面には光軸方向に移動自在なスライド・スイッチ31が形成されている。スライド・スイッチ31の上側には１から６の数字が記述されている。これらの数字の位置にスライド・スイッチ31を位置決めできる。図１においてスライド・スイッチ31の右側には，径方向に押下可能なレンズ脱着ボタン32が形成されている。また，マウント45においてレンズ脱着ボタン32の横方向には挿通口33が開口している。詳しくは後述するように，この挿通口33から係合用ピンが進退自在に進出してマウント・アダプタ30と交換レンズ50とが着脱自在に装着される。なお，スライド・スイッチ31は，撮影時に撮影者の指が接触して誤動作を引き起こすことを避けるため，カメラ・ボディ１に装着された場合に，ほぼ上側となるマウント・アダプタ30の周面に形成されていることが望ましい。
【００２９】
図２は，カメラ・ボディ１とマウント・アダプタ30との電気的構成を示すブロック図である。
【００３０】
カメラ・ボディ１の全体の動作は，カメラ・ボディＣＰＵ10によって統括される。
【００３１】
カメラ・ボディＣＰＵ10は，撮像により得られた画像を補正するための画像処理機能11を有している。カメラ・ボディ１には，補正用パラメータが格納されているパラメータ・メモリ17も含まれている。マウント・アダプタ30のスライド・スイッチ31の設定状態に対応した補正パラメータがパラメータ・メモリ17から読み出される。読み出された補正パラメータを用いて画像が補正される。また，読み出された補正パラメータは表示装置16にも与えられ，表示される。
【００３２】
カメラ・ボディ１には，上述したようにシャッタ・レリーズ・ボタン５のほかに，撮像モード，再生モードなどを設定するモード設定スイッチ12，電源ボタン13なども設けられている。これらのモード設定スイッチ12，電源ボタン13からの出力信号は，カメラ・ボディＣＰＵ10に入力する。
【００３３】
カメラ・ボディ１には，被写体を撮像する撮像装置19も含まれている。撮像装置19から出力される，被写体像を表す画像データがカメラ・ボディＣＰＵ10に入力することにより，画像補正処理が行われる。また，画像補正された画像データは，記録制御回路15によってメモリ・カード14に記録される。また，カメラ・ボディ１には，マウント・アダプタ30と通信するための通信回路18も含まれている。
【００３４】
マウント・アダプタ30の全体の動作は，マウント・アダプタＣＰＵ40によって統括される。
【００３５】
上述したように，マウント・アダプタ30の周面に形成されているスライド・スイッチ31の位置を示す信号は，マウント・アダプタＣＰＵ40に入力する。マウント・アダプタ30には，マウント・アダプタであることを示すデータを格納するマウント・アダプタ・メモリ41も含まれている。また，カメラ・ボディ１と通信するための通信回路42もマウント・アダプタ30に含まれている。さらに，マウント・アダプタ30に交換レンズ50が装着されていることを検知する交換レンズ装着検知回路43もマウント・アダプタ30に含まれている。
【００３６】
図３は，カメラ・ボディ１のパラメータ・メモリ17に格納されている補正パラメータ・テーブルの一例である。
【００３７】
補正パラメータ・テーブルは，上述したように画像を補正する補正パラメータを格納するものである。マウント・アダプタ30のスライド・スイッチ31の設定状態に対応して補正パラメータが記憶されている。補正パラメータには，歪曲収差補正，色シェーディング補正および周辺光量補正のパラメータがある。また，補正パラメータ・テーブルには，スライド・スイッチ31によって設定されるスイッチ設定状態に対応する交換レンズの設定名称も格納されている。そのような設定名称の交換レンズがマウント・アダプタ30に装着された場合に，そのような設定名称に対応するスイッチ設定状態となるようにユーザがスライド・スイッチ31を動かす。ユーザは，交換レンズ50とスイッチ設定状態との対応を知っているのはいうまでもない。スライド・スイッチ31の設定状態が検出されると，上述のように，検出された設定状態に対応する補正パラメータがパラメータ・メモリ17から読み出される。読み出された補正パラメータを用いて画像補正が行われる。
【００３８】
図４および図５は，カメラ・ボディ１の処理手順を示すフローチャート，図６は，マウント・アダプタ30の処理手順を示すフローチャートである。これらの処理手順は，マウント・アダプタ30に設けられているスライド・スイッチ31の設定状態をカメラ・ボディ１の表示装置16の表示画面に表示するものである。
【００３９】
まず，カメラ・ボディ１から純正レンズ固有データを要求するコマンドが送信される（図４ステップ61）。カメラ・ボディ１に，そのカメラ・ボディ１用の純正レンズが装着されている場合には，カメラ・ボディ１から送信されたコマンドに応答して純正レンズから，その純正レンズ固有データがカメラ・ボディ１に送信される。純正レンズ固有データがカメラ・ボディ１において受信されると，カメラ・ボディ１のカメラ・ボディＣＰＵ10は純正レンズが接続されていると判断する（図４ステップ62）。純正レンズ固有データを用いて，カメラ・ボディ１の補正パラメータが設定されることとなる（図４ステップ63）。
【００４０】
カメラ・ボディ１から送信されたコマンドに応答して純正レンズから，純正レンズ固有データがカメラ・ボディ１に送信されなければ，カメラ・ボディ１には純正レンズは接続されていないと判断される（図４ステップ62でＮＯ）。すると，カメラ・ボディ１からマウント・アダプタ・データを要求するコマンドが送信される（図５ステップ64）。
【００４１】
カメラ・ボディ１にマウント・アダプタ30が装着されていると，カメラ・ボディ１から送信されたマウント・アダプタ・データを要求するコマンドは，マウント・アダプタ30において受信される（図６ステップ81でＹＥＳ）。すると，マウント・アダプタ・メモリ41に記憶されているマウント・アダプタ・データ（マウント・アダプタ30であることを示すテータ）が読み出され，読み出されたマウント・アダプタ・データがマウント・アダプタ30からカメラ・ボディ１に送信される（図６ステップ82）。
【００４２】
カメラ・ボディ１において，マウント・アダプタ・データが受信されなければ（図５ステップ65でＮＯ），カメラ・ボディ１にはマウント・アダプタ30も純正レンズも装着されていないと判断される。その場合には，カメラ・ボディ１は，どのようなレンズが装着されているか分らないので，所定の補正パラメータが設定される（図５ステップ71）。
【００４３】
カメラ・ボディ１において，マウント・アダプタ・データが受信されると，カメラ・ボディ１にマウント・アダプタ30が装着されていると判断される（図５ステップ65でＹＥＳ）。すると，カメラ・ボディ１からスイッチ設定状態を要求するコマンドが送信される（図５ステップ66）。
【００４４】
カメラ・ボディ１から送信された，スイッチ設定状態を要求するコマンドがマウント・アダプタ30において受信されると（図６ステップ83でＹＥＳ），スライド・スイッチ31の設定状態が検出される。検出されたスイッチ設定状態を表すデータがマウント・アダプタ30からカメラ・ボディ１に送信される（図６ステップ84）。
【００４５】
マウント・アダプタ30から送信されたスイッチ設定状態を表すデータがカメラ・ボディ１において受信されると（図５ステップ67），スライド・スイッチ31の設定状態がカメラ・ボディ１の表示装置16の表示画面に表示される（図５ステップ68）。
【００４６】
図７は，カメラ・ボディ１の背面図である。
【００４７】
カメラ・ボディ１の背面のほぼ全体に渡って表示画面16（表示装置と同じ符号とする）が形成されている。表示画面16の左上には光学ビュー・ファインダ31が形成されている。表示画面16の右側には，上述したモード設定スイッチ12，電源ボタン13，その他のボタン14が形成されている。
【００４８】
表示画面16の右上に，スイッチ設定状態表示領域17が形成されている。この領域17に，マウント・アダプタ30から送信された，スイッチ設定状態データによって表されるスライド・スイッチ31の設定状態が表示される。スイッチ設定状態は，ＭＡ（マウント・アダプタ）につづく数字で表わされている。その数字が，スライド・スイッチ31の設定状態を示している。スライド・スイッチ31の位置が，１，２，３，４，５または６であれば，スイッチ設定状態表示領域17に，ＭＡにつづいて表示される数字が１，２，３，４，５または６となる。また，表示画面16には，スライド・スイッチ31の設定状態が示す交換レンズ50の特性を表示するレンズ特性表示領域18も含まれている。さらに，表示画面16の下部にはISO感度相当などの情報表示領域19も含まれている。
【００４９】
表示画面16に，マウント・アダプタ31のスライド・スイッチ31の設定状態が表示されるので，ユーザは，スライド・スイッチ31の設定状態を比較的簡単に確認できる。
【００５０】
図５に戻って，スイッチ設定状態が表示画面16に表示されると，パラメータ・メモリ17に格納されている補正パラメータ・テーブル（図３参照）から，スライド・スイッチ31のスイッチ設定状態に対応した補正パラメータが読み取られる（図５ステップ69）。読み取られた補正パラメータがカメラ・ボディ１（画像処理機能11）に設定される（図５ステップ70）。その後被写体が撮像され，撮像により得られた画像について，設定された補正パラメータを用いて補正されることとなる。補正された画像を表わす画像データがメモリ・カード14に記録される。
【００５１】
交換レンズ50がカメラ・ボディ１の純正レンズでなくとも，交換レンズ50の特性にしたがった画像補正が実現できるようになる。
【００５２】
図８から図11は，他の実施例を示すものである。この実施例は，撮像モードが設定され，プレ撮像によりライブ・ビュー画像が表示画面16に表示されることに応答して，マウント・アダプタ30のスライド・スイッチ31の設定状態が表示画面16にされるものである。
【００５３】
カメラ・ボディ１にはマウント・アダプタ30が装着されているものとする。モード設定スイッチ12により撮像モードが設定されると，被写体が撮像され（図８ステップ91），被写体像を表わすライブ・ビュー画像が表示画面16に表示される（図８ステップ92）。マウント・アダプタ30においてはスライド・スイッチ31のスイッチ設定状態が検出され，検出されたスイッチ設定状態を示すデータがカメラ・ボディ１に送信される。
【００５４】
図10は，カメラ・ボディ１の背面図の一例である。この図において，図７に示すものと同一物については同一符号を付して説明を省略する。
【００５５】
上述のように，撮像モードが設定され，被写体が撮像されると，被写体のライブ・ビュー画像が表示画面16に表示される。また，上述したように，マウント・アダプタ30から送信されたスイッチ設定状態を示すデータにもとづいて，領域17にはマウント・アダプタ31のスイッチ設定状態が表示される。
【００５６】
ライブ・ビュー画像が表示されている状態で，マウント・アダプタ30のスライド・スイッチ31のスイッチ設定状態が変更させられると（図９ステップ101でＹＥＳ），マウント・アダプタ30からカメラ・ボディ１に，スイッチ設定状態が変更させられたことを表すデータおよび変更されたスイッチ設定状態を表すデータが送信される（図９ステップ102）。ライブ・ビュー画像がカメラ・ボディ１の表示画面16に表示されることに応答して，スイッチ設定状態の要求を示すコマンドがカメラ・ボディ１からマウント・アダプタ30に送信され，そのコマンドに応答してマウント・アダプタ30からカメラ・ボディ１にスイッチ設定状態が変更させられたことを表すデータおよび変更されたスイッチ設定状態を表すデータが送信されるようにしてもよい。
【００５７】
マウント・アダプタ30から送信された，スイッチ設定状態が変更させられたことを表すデータおよび変更されたスイッチ設定状態を表すデータがカメラ・ボディ１において受信されると（図８ステップ93でＹＥＳ），スイッチ状態が変更させられたことおよび変更されたスイッチ状態が表示画面16に表示される（図８ステップ94）。
【００５８】
図11は，カメラ・ボディ１の背面図の一例である。この図においても，図７等に示すものと同一物については同一符号を付して説明を省略する。
【００５９】
上述したように，表示画面16には領域18Ａが表示され，その領域18Ａにスライド・スイッチ31のスイッチ設定状態が変更させられたことを示すように，変更後のレンズ情報が表示される。また，領域17には，変更されられたスイッチ設定状態が表示される。もっとも領域17には，変更前のスイッチ設定状態が表示されるようにしてもよい。カメラ・アングルを決定するために領域18Ａは邪魔となるので，領域18Ａによる表示は一定時間のみとし，一定時間経過後は表示されないことが好ましい。
【００６０】
その後は，スライド・スイッチ31のスイッチ設定状態に対応した補正パラメータがパラメータ・メモリ17から読み取られ（図８ステップ95），読み取られた補正パラメータがカメラ・ボディ１に設定される（図８ステップ96）。撮像終了指示が与えられるまでステップ91から96の処理が繰り返される（ステップ97）。シャッタ・レリーズ・ボタン５の押下などがあると，撮像によって得られた画像データがメモリ・カード14に記録されることとなる。
【００６１】
ユーザが撮像中に意図せずにスライド・スイッチ31を切り替えてしまい，その後気づかずに撮像してしまうことにより，交換レンズ50に適さない補正パラメータを用いて画像補正がされてしまうことが未然に防止される。
【００６２】
図12および図13は，他の実施例を示すものである。この実施例は，カメラ・ボディ１の電源がオフからオンとされた場合に，マウント・アダプタ30のスライド・スイッチ31の状態をユーザの報知するものである。
【００６３】
図12は，カメラ・ボディ１の処理手順を示すもので，電源ボタン13がオンされることにより開始する。図12において，図５の示す処理と同じ処理については同じ符号を付している。
【００６４】
カメラ・ボディ１の電源ボタン13がオンとされると，カメラ・ボディ１からマウント・アダプタ30にマウント・アダプタ・データが要求され（ステップ64），マウント・アダプタ30から送信されたマウント・アダプタ・データが受信されると，カメラ・ボディ１にマウント・アダプタ30が接続されていると判断される（ステップ65でＹＥＳ）。スイッチ設定状態を要求するコマンドがカメラ・ボディ１からマウント・アダプタ30に送信され（ステップ66），マウント・アダプタ30から送信されたスイッチ設定状態を示すデータがカメラ・ボディ１において受信されると（ステップ67），スライド・スイッチ31のスイッチ設定状態がカメラ・ボディ１の表示画面16に表示される（ステップ68Ａ）。
【００６５】
図13は，カメラ・ボディ１の背面図の一例である。この図において，図７等に示すものと同一物については同一符号を付して説明を省略する。
【００６６】
表示画面16の領域17には，スライド・スイッチ31のスイッチ設定状態が表示される。また，表示画面16には，そのスイッチ設定状態によって特定されるレンズ情報を表示する領域18Ｂが表示される。
【００６７】
その後は，スライド・スイッチ31のスイッチ設定状態に対応した補正パラメータがパラメータ・メモリ17から読み取られ（ステップ69），読み取られた補正パラメータがカメラ・ボディ１に設定される（ステップ70）。
【００６８】
カメラ・ボディ１の電源がオフの状態でマウント・アダプタ30のスライド・スイッチ31が誤って動かされた場合でも，現在のスイッチ設定状態がユーザに報知されるので，スライド・スイッチ31のスイッチ状態が動いたことに気づかずに撮影されてしまうことが未然に防止される。
【００６９】
図14および図15は，さらに他の実施例を示すもので，カメラ・ボディ１の処理手順を示すフローチャートである。
【００７０】
この実施例は，主としてマウント・アダプタ30が装着された場合に，スライド・スイッチ31のスイッチ設定状態を報知するものである。
【００７１】
カメラ・ボディ１は，撮像モードが設定されているものとする。
【００７２】
まず，カメラ・ボディ１に交換レンズ50またはマウント・アダプタ30が装着されているかどうかが確認される（図５ステップ111）。上述のように，マウント・アダプタ・データの要求コマンドがカメラ・ボディ１から送信され，そのコマンドに応答してマウント・アダプタ・データがマウント・アダプタ30から送信されれば，カメラ・ボディ１にマウント・アダプタ30が装着されていることが分り，純正レンズ固有データの要求コマンドがカメラ・ボディ１から送信され，そのコマンドに応答してレンズから純正レンズ固有データが送信されれば，カメラ・ボディ１に純正レンズが装着されていることが分る。
【００７３】
カメラ・ボディ１に交換レンズ50またはマウント・アダプタ30が装着されていなければ（図14ステップ111でＹＥＳ），純正レンズがカメラ・ボディ１に新たに装着されたかどうかが確認される（図４ステップ112）。上述のように，純正レンズ固有データの要求コマンドがカメラ・ボディ１から送信され，そのコマンドに応答してレンズから純正レンズ固有データが送信されれば，カメラ・ボディ１に純正レンズが装着されたことが分る。
【００７４】
カメラ・ボディ１に純正レンズが新たに装着されていなければ（図14ステップ112でＮＯ），カメラ・ボディ１にマウント・アダプタ30が新たに装着されたかどうかが確認される（図14ステップ113）。上述のように，マウント・アダプタ・データの要求コマンドがカメラ・ボディ１から送信され，そのコマンドに応答してマウント・アダプタ・データがマウント・アダプタ30から送信されれば，カメラ・ボディ１に新たにマウント・アダプタ30が装着されたことが分る。
【００７５】
カメラ・ボディ１にマウント・アダプタ30が新たに装着されたことが分ると（図14ステップ113でＹＥＳ），上述のように，カメラ・ボディ１からマウント・アダプタ30にスイッチ設定状態を要求するコマンドが送信される（図15ステップ114）。そのコマンドの送信に応じてマウント・アダプタ30からスイッチ設定状態データが送信され，カメラ・ボディ１において受信される（図15ステップ115）。すると，図13に示したように，マウント・アダプタ30のスライド・スイッチ31のスイッチ設定状態が表示画面16に表示される（図15ステップ116）。その後は，スライド・スイッチ31のスイッチ設定状態に対応した補正パラメータがパラメータ・メモリ17から読み取られ（図15ステップ117），読み取られた補正パラメータがカメラ・ボディ１に設定される（図15ステップ118）。
【００７６】
撮像終了指示がなければ（ステップ119でＮＯ），図14ステップ111からの処理が繰り返される。
【００７７】
マウント・アダプタ30がカメラ・ボディ１の装着されていない間またはカメラ・ボディ１への着脱の際に誤操作によりスライド・スイッチ31の設定が変わってしまった場合であっても，ユーザは設定が変わったことが分るので，スライド・スイッチ31の設定が変わったことを気づかずに撮像してしまうことが未然に防止される。
【００７８】
図16は，さらに他の実施例を示すもので，カメラ・ボディ１の処理手順を示すフローチャートである。
【００７９】
主として，カメラ・ボディ１にマウント・アダプタ30が装着されているが，マウント・アダプタ30には交換レンズ50が装着されていない状態から，新たに交換レンズ50が装着された状態の処理である。カメラ・ボディ１にマウント・アダプタ30が装着されているものとする。
【００８０】
まず，マウント・アダプタ30の第２のマウント45に交換レンズ50が装着されているかどうかが確認される（ステップ121）。第２のマウント45に交換レンズ50が装着されているかどうかは，マウント・アダプタ30の交換レンズ装着検知回路43によって検知される。第２のマウント45に交換レンズ50が装着されていない場合には（ステップ121でＮＯ），マウント・アダプタ30に交換レンズ50が新たに装着されたかどうかが確認される（ステップ122）。
【００８１】
マウント・アダプタ30に交換レンズ50が新たに装着された場合には（ステップ122でＹＥＳ），上述したのと同様に，カメラ・ボディ１からマウント・アダプタ30にスイッチ設定状態を要求するコマンドが送信される（ステップ123）。そのコマンドの送信に応じてマウント・アダプタ30からスイッチ設定状態データが送信され，カメラ・ボディ１において受信される（ステップ124）。すると，図13に示したように，マウント・アダプタ30のスライド・スイッチ31のスイッチ設定状態が表示画面16に表示される（ステップ125）。その後は，スライド・スイッチ31のスイッチ設定状態に対応した補正パラメータがパラメータ・メモリ17から読み取られ（ステップ126），読み取られた補正パラメータがカメラ・ボディ１に設定される（ステップ127）。
【００８２】
撮像終了指示がなければ（ステップ128でＮＯ），ステップ121からの処理が繰り返される。
【００８３】
カメラ・ボディ１の電源がオンされており，かつマウント・アダプタ30がカメラ・ボディ１に装着されている状態で，マウント・アダプタ30に交換レンズが新たに装着された場合に，以前に設定されていた補正パラメータにもとづいて画像補正されてしまうことが未然に防止される。
【００８４】
図17および図18は，図１のXVII−XVII線に沿うマウント・アダプタ30の断面図である。
【００８５】
マウント・アダプタ30のスライド・スイッチ31には，マウント・アダプタ30の外側に出ているつまみ部材130が含まれている。このつまみ部材130は断面が凹型であり，内部の凹所131に接触部材133の上部133Ａが入り込んでいる。つまみ部材130が水平方向に動かされることにより，つまみ部材130の凹所131が，接触部材133の上部133Ａを水平方向に動かし，接触部材133は，スライド軸132に沿って水平方向に移動する。
【００８６】
つまみ部材131と対向するように水平方向に位置決め部材140が設けられている。この位置決め部材140は，Ｌ型の台座150上に配置されている。台座150の両端には，指示部材151および152が固定されている。指示部材151および152は位置決め部材140の両端部を，位置決め部材140が上下に移動自在に貫通している。支持部材151および152の台座150と位置決め部材140との間には，付勢ばね153および154が設けられている。この付勢ばね153および154によって位置決め部材140が上方に付勢されている。
【００８７】
位置決め部材140には，６つの設定に対応して６つの凹所141から146が形成されている。スライド・スイッチ130が動かされることにより，凹所141から146のいずれかの凹所に位置決め部材140が入り込み，スライド・スイッチ130が位置決めされる。
【００８８】
スライド・スイッチ130の右側にはレンズ脱着スイッチ32が設けられている。このレンズ脱着スイッチ32には，水平方向に伸びているレンズ固定用ボス32Ａが形成されている。このレンズ固定用ボス32Ａは，マウント・アダプタ30の前面の第２のマウント45に形成されている挿通口32を通り，マウント・アダプタ30の外部に進出，マウント・アダプタ30内に退避自在である。また，レンズ着脱スイッチ32には，レンズ固定用ボス32Ａとは反対側に水平方向に伸びている押込み部材132Ｂが形成されている。押込み部材132Ｂの先端部はテーパ状となっており，かつ位置決め部材140の先端部147（この先端部147もテーパ状となっている）と接している。
【００８９】
マウント・アダプタ30内において，レンズ着脱スイッチ32の左側には固定部材160に固定された付勢ばね161が設けられている。この付勢ばね161によってレンズ着脱スイッチ32が右方向に付勢されている。
【００９０】
マウント・アダプタ30に交換レンズ50が装着される場合には，図17に示すように，レンズ固定用ボス32Ａがマウント・アダプタ30の先端部から突出し，その突出したレンズ固定用ボス32Ａが交換レンズ50の後端に形成されている凹所にきつく入り込み，マウント・アダプタ30に交換レンズ50が装着される。
【００９１】
マウント・アダプタ30に装着されている交換レンズ50がマウント・アダプタ30から外される場合には，レンズ脱着スイッチ32が付勢ばね161のばね力に抗して左方向にスライドさせられる。すると，レンズ脱着スイッチ32の押込み部材32Ｂのテーパ状の部分により，位置決め部材140のテーパ状の部分147を下方に押すこととなり，位置決め部材140が下がる。すると，凹所141から145のいずれかの凹所に入っていたつまみ部材130の下部133Ｂは，そのいずれかの凹所から外れ，スライド・スイッチ31の設定を変えることができるようになる。
【００９２】
交換レンズ50をマウント・アダプタ30から外す場合にスライド・スイッチ31の設定が可能であり，その場合以外にはスライド・スイッチ31はロックされているので（但し，付勢ばね153および154のばね力に抗してつまみ部材130を強制的に動かせば，スライド・スイッチ31の設定変更はできる），誤ってスライド・スイッチ31が動いてしまうことを未然に防止できる。
【００９３】
上述の実施例では，マウント・アダプタ30に設けられているスイッチは，スライド・スイッチ31であるが，スライド・スイッチに限らず，複数の設定ができるスイッチ（ボリュウム）であればよい。また，機械的なスイッチに限らず，画面にタッチ・パネルが形成されているタッチ・スイッチなどのソフトウエアを利用したスイッチでもよい。
【符号の説明】
【００９４】
１  カメラ・ボディ
10  カメラ・ボディＣＰＵ
16  表示装置
17  パラメータ・メモリ
30  マウント・アダプタ
31  スライド・スイッチ
50  交換レンズ
【図１】
0005820956.tif 000002
【図２】
0005820956.tif 000003
【図３】
0005820956.tif 000004
【図４】
0005820956.tif 000005
【図５】
0005820956.tif 000006
【図６】
0005820956.tif 000007
【図７】
0005820956.tif 000008
【図８】
0005820956.tif 000009
【図９】
0005820956.tif 000010
【図１０】
0005820956.tif 000011
【図１１】
0005820956.tif 000012
【図１２】
0005820956.tif 000013
【図１３】
0005820956.tif 000014
【図１４】
0005820956.tif 000015
【図１５】
0005820956.tif 000016
【図１６】
0005820956.tif 000017
【図１７】
0005820956.tif 000018
【図１８】
0005820956.tif 000019